(57)【要約】  本発明は、品目を保管するデバイスに関する。以前は、容器は、一時的メッセージまたはラベルを配置するための組み込まれた方法を提供していなかった。本発明の実施形態は、蓋または蓋と係合するように設計された容器本体のどちらかに組み込まれた書換可能な磁気ディスプレイを使用する。【選択図】図１
2020506125.tif 000002
【特許請求の範囲】
【請求項１】
品目を保管するための容器であって、
容器本体と、
前記容器本体と係合するように設計された蓋と、
前記蓋および前記容器本体で構成される群から選択された部材の中に組み込まれた書換可能な磁気ディスプレイと
を備える、容器。
【請求項２】
記号を作成するために前記書換可能な磁気ディスプレイと相互作用するように設計されたスタイラスをさらに備え、前記スタイラスが、中央オリフィスを備えた細長い本体、前記細長い本体の中に収容された内部磁石、および磁気チップを備える、請求項１に記載の容器。
【請求項３】
前記書換可能な磁気ディスプレイが、
透過的封包物と、
前記透過的封包物を充填している磁気泳動ディスプレイ流体と、
前記磁気泳動ディスプレイ流体の中に保持された封込メッシュと、
前記磁気泳動ディスプレイ流体の中に浮遊する金属粒子と
を備える、請求項１に記載の容器。
【請求項４】
前記書換可能な磁気ディスプレイが、
最上透明パネルと、
基部磁石と、
前記最上透明パネルと前記基部磁石との間に配置された磁気泳動ディスプレイと、
前記基部磁石と前記磁気泳動ディスプレイとの間に配置されたエアギャップスロットと
を備える、請求項１に記載の容器。
【請求項５】
前記磁気泳動ディスプレイが、
複数のセルと、
前記複数のセルを充填するディスプレイ流体と、
前記ディスプレイ流体の中に浮遊する金属粒子と
を備える、請求項４に記載の容器。
【請求項６】
前記蓋および前記容器本体で構成される前記群から選択された前記部材の面に取り付けられた食品保管ガイドラインをさらに備える、請求項１に記載の容器。
【請求項７】
前記書換可能な磁気ディスプレイが、前記蓋および前記容器本体で構成される前記群から選択された前記部材に取り外し可能に取り付けられる、請求項１に記載の容器。
【請求項８】
前記書換可能な磁気ディスプレイが、前記容器本体に取り外し可能に取り付けられ、
前記容器本体が、それに取り付けられたディスプレイスロットを備え、
前記ディスプレイスロットが、前記書換可能な磁気ディスプレイを収容できる大きさになっている、
請求項７に記載の容器。
【請求項９】
前記書換可能な磁気ディスプレイが、前記容器本体に取り外し可能に取り付けられ、
前記容器本体が、前記書換可能な磁気ディスプレイを収容できる大きさになった容器凹所を備え、
前記書換可能な磁気ディスプレイが、その外側縁から延びるディスプレイ取付リップを備えていて、前記ディスプレイ取付リップが、前記容器凹所と係合するように設計されている、
請求項７に記載の容器。
【発明の詳細な説明】
【技術分野】
【０００１】
本実施形態は、本明細書において、概括的には保管容器に関し、より厳密には、磁気的に書換可能なディスプレイ面を備えた容器に関する。
【背景技術】
【０００２】
従来型の容器は、容器の中にあるもの、その所有者、それに有効期限があるのかどうか、または簡潔なメッセージなどの、一時的メッセージまたはラベルをその上に配置するための、組み込まれた方法を備えていない。ユーザが、従来型の容器にラベルをつけたいとき、ユーザは、多くの場合、そうするために書込用具およびステッカを使用しなければならない。しかしながら、これは、不経済であり、ユーザが、ステッカを切らした場合に、ユーザは、必要なときに、容器にラベルをつけることができなくなる可能性がある。さらに、従来型のラベリング方法は、接着剤、紙、インク、ワイプ、チョーク、乾式イレーサ、または同種のものを使用する必要がある。このような種類の材料を用いたラベリングは、消耗的で、面倒であり、永続的である場合もある。
【０００３】
それぞれの内容すべてを、参考文献として本明細書に援用している米国特許第５，０１８，９７９号、第５，２９５，８３７号、第５，１１２，２２９号、第４，１４３，４７２号、第３，２２９，２８１号、第４，６４３，６８４号、および第５，４２９，５０３号は、磁気表示装置を提供するための装置を記載している。しかしながら、この技術が、そのラベリングのために容器に組み込まれたことはこれまでなかった。
【０００４】
さらに、多くの個人は、消費することが安全ではなくなる前に、食品が保管され得る最長の期間を容易に知ることができない。その結果、人々は、有用な食品を早まって廃棄することによって不経済になる傾向がある、または逆に、安全ではない腐敗した食品を食べることによって健康を危険にさらす傾向がある。
【０００５】
したがって、必要とされているのは、内容物、期限、所有権、または同種のものを識別するために、一時的メッセージまたはラベルを配置するための磁気的に書換可能なディスプレイ面を備えた容器であり、容器は、さらに、食品保管ガイドラインを含むこともできる。
【発明の概要】
【０００６】
本開示のいくつかの実施形態は、容器本体と、容器本体と係合するように設計された蓋と、蓋または容器本体に組み込まれた書換可能な磁気ディスプレイとを含むことができる、品目を保管するための容器を含む。書換可能な磁気ディスプレイは、蓋または容器本体に取り外し可能に取り付けられることができる。さらに、容器は、書換可能な磁気ディスプレイ上に消去可能な記号を作成するように設計されたスタイラスを含む場合もある。容器は、その上に印刷された、またはその他の方法で表示された食品保管ガイドラインをさらに含むことができる。
【０００７】
本発明のいくつかの実施形態についての詳細説明は、類似符号が、図の対応部分を表している添付の図を参照しながら、この後行われる。
【図面の簡単な説明】
【０００８】
【図１】本開示の１つの実施形態の斜視図である。
【図２】本開示の１つの実施形態の斜視図である。
【図３】本開示の１つの実施形態の分解図である。
【図４】本開示の１つの実施形態の底面斜視図である。
【図５】本開示の１つの実施形態の詳細斜視図である。
【図６】図１の線６−６に沿う、本開示の１つの実施形態の詳細断面図である。
【図７】本開示の１つの実施形態の詳細断面図である。
【図８】本開示の１つの実施形態の詳細断面図である。
【図９】本開示の１つの実施形態の斜視図である。
【図１０】本開示の１つの実施形態の分解図である。
【図１１】図９の線１１−１１に沿う、本開示の１つの実施形態の断面図である。
【図１２】本開示の１つの実施形態の断面図である。
【図１３】本開示の１つの実施形態の斜視図である。
【図１４】本開示の１つの実施形態の斜視図である。
【図１５】本開示の１つの実施形態の斜視図である。
【図１６】本開示の１つの実施形態の斜視図である。
【発明を実施するための形態】
【０００９】
本発明の以下の詳細説明では、本発明の多数の細部、例、および実施形態が、説明される。しかしながら、当業者にとっては明瞭かつ明白であるように、本発明は、記載される実施形態に制限されることはなく、本発明は、いくつかの応用例のいずれにも適応されることができる。
【００１０】
本開示のデバイスは、磁気的に書換可能なディスプレイ面を備えた容器として使用されることができ、以下の要素を備え得る。可能性のある構成要素のこのリストは、単なる例であるように意図されており、このリストが、本出願のデバイスをまさにこれらの要素に制限するために使用されることは意図されていない。本開示に関連する当業者であれば、デバイスの本質的な機能または動作を変更することなく、本開示の範囲内で置換されることができる等価要素が存在することを理解されよう。
ａ．容器
ｂ．蓋
ｃ．磁気的に書換可能なディスプレイ面
ｄ．磁気スタイラス
【００１１】
本開示のデバイスのさまざまな要素は、以下の例示的な様式に関係付けられることができる。さまざまな要素間の関係の範囲または性質を制限することは意図されてなく、以下の例は、説明的な例として提示されているにすぎない。
【００１２】
例として、図１〜図１６を参照すると、本開示のいくつかの実施形態は、品目を保管するための容器を含み、容器は、容器本体と、容器本体と係合するように設計された蓋と、蓋および容器本体で構成される群から選択された部材の中に組み込まれた磁気的に書換可能なディスプレイとを備える。実施形態では、容器は、記号５０を作成するために書換可能な磁気ディスプレイと相互作用するように設計されたスタイラス３８をさらに備えることができる。記号５０は、例えば、スタイラス３８の磁気チップ４０が、磁性粒子を磁気的に書換可能なディスプレイの外側面に引き寄せることによって作成されることができる。記号を消すために、ユーザ４６は、磁気的に書換可能なディスプレイを押し下げるだけで、粒子を外側面から引き離す、または分散させることができる。
【００１３】
例えば、図１〜図４、および図６〜図８に示されるように、磁気的に書換可能なディスプレイは、容器本体３６と係合するように設計された書換可能な蓋１０の中に組み込まれることができる。具体的には、書換可能な蓋１０は、下側蓋ハウジング３０と係合するように設計されたハウジング２０を備えることができ、下側蓋ハウジング３０は、順々に、容器本体３６の上部リムと係合するように設計されている。ハウジング２０は、搭載された、またはその他の方法でそれに取り付けられた磁気泳動ディスプレイ１４を有することができる。最上透明パネル１２は、磁気泳動ディスプレイ１４が、最上透明パネル１２と随意選択底透明パネル２８との間に挟まれているように、ハウジング２０に随意的に取り付けられることができる。いくつかの実施形態では、磁気泳動ディスプレイ１４と対向するハウジング２０の面は、それに取り付けられた食品保管ガイドラインラベル２４を有する場合もある。あるいは、食品保管ガイドラインは、磁気泳動ディスプレイ１４の面、または最上透明パネル１２と対向する随意選択底透明パネル２８の上に直接印刷されてもよい。底透明パネル２８は、食品保管ガイドラインラベル２４が、磁気泳動ディスプレイ１４と底透明パネル２８との間に挟まれるように、磁気泳動ディスプレイ１４と対向するハウジング２０の面に取り付けられることができる。したがって、底透明パネル２８は、食品保管ガイドラインラベル２４用の保護被覆の役割をすることもでき、ガイドラインテキスト２６は、底透明パネル２８を通して可視的であり得る。下側蓋ハウジング３０は、下側蓋透明パネル３２を囲んでいる外側蓋ハウジング取付リップ３４を含むことができ、外側蓋ハウジング取付リップ３４は、書換可能な蓋１０を容器本体３６に取り外し可能に取り付けるために、容器本体３６と取り外し可能に係合するように設計されている。
【００１４】
図６に示されるように、磁気泳動ディスプレイ１４は、金属粒子１６を含有する磁気泳動ディスプレイ流体１８で充填された透過的封包物と、磁気泳動ディスプレイ流体１８の中に保持された封込メッシュ１９とを備えることができる。図７に示されるように、スタイラス３８上の磁気チップ４０などの磁気デバイスが、引き動かされて、磁気泳動ディスプレイ１４（または随意選択最上透明パネル１２）を横切るとき、金属粒子１６は、上方に、底透明パネル２８に近接する磁気泳動ディスプレイ１４の区域から離れる方向に引っ張られて、磁気泳動ディスプレイ１４の最外部面上に記号または書かれた画像５０を作成する。書かれた画像５０を消すために、ユーザ４６は、自分の指４８で磁気泳動ディスプレイ１４の最上面を押すだけで、金属粒子１６を分散させて、磁気泳動ディスプレイ流体１８の中に戻すことができる。
【００１５】
あるいは、例えば図９〜図１２に示されるように、容器本体７６は、随意選択最上透明パネル５４を備えた蓋ハウジング７２および容器本体７６の上部リムと係合するように設計されたハウジングリップ７４を備える、交互式に書換可能な蓋アセンブリ５２と係合することができる。ユーザ４６が、書換可能な書かれた画像５０をその上に表示することができるように、蓋ハウジング７２は、搭載された、またはその他の方法でそれに取り付けられた交互式磁気泳動ディスプレイ５６を有することができる。具体的には、図１０に示されるように、蓋ハウジング７２は、底透明蓋パネル７０、随意選択食品保管ガイドラインラベル６８、基部磁石６６、磁気泳動ディスプレイ５６、および随意選択最上透明パネル５４を順々に保持するように設計されることができる。図１１に示されるように、底透明蓋パネル７０の方へ押圧する圧力が、最上透明パネル５４上に置かれないとき、エアギャップスロット６４は、基部磁石６６と交互式磁気泳動ディスプレイ５６との間に配置されることができる。交互式磁気泳動ディスプレイ５６は、複数のセル５８と、複数のセル５８を充填する不透明または透明なディスプレイ流体などのディスプレイ流体６２と、ディスプレイ流体６２の中に浮遊する金属粒子６０とを備えることができる。図１１に示されるように、スタイラス３８の磁気チップ４０などの磁気デバイスが、引き動かされて、最上透明パネル５４の最外部面または磁気泳動ディスプレイ５６を横切るとき、金属粒子６０は、最上透明パネル５４の方に引っ張られて、書かれた画像５０を作成することができる。書かれた画像５０を消すために、ユーザ４６は、自分の指で下に押して、エアギャップスロット６４を押し下げ、結果的に、基部磁石６６を磁気泳動ディスプレイ５６の底面に接近させることができる。その結果、金属粒子６０は、最上透明パネル５４に近接する磁気泳動ディスプレイ５６の表面から下方へ引っ張られ、書かれた画像５０が消される。図面は、基部磁石６６を磁気泳動ディスプレイ５６のサイズおよび形状を模倣した平面構造としているが、この基部磁石６６の他の実施形態も、想定される。具体的には、基部磁石６６は、レバーおよびノブを使用して、磁気泳動ディスプレイ５６の下で摺動するように設計された細長い品目であってもよい。あるいは、磁気泳動ディスプレイ５６は、金属粒子６０を基部磁石６６に引き寄せるために、基部磁石６６に対して回転され、ならびに描画面をリセットするために回転されて戻されることができる。そのような場合、蓋は、２つのハウジングを備えることができ、そのうちの１つは、磁気泳動ディスプレイを収容し、２つ目は、基部磁石を収容する。２つのハウジングは、ねじ様のもの、段、または切欠き構造を用いて、作動的かつ回転可能に相互に取り付けられることができる。一方のハウジングが、他方に対して回転されるとき、エアギャップが提供され、金属粒子を基部磁石の磁場から解放することによって描画面をリセットする。
【００１６】
容器蓋が、磁気泳動ディスプレイを含んでいるのではなく、磁気泳動ディスプレイは、容器本体に取り外し可能に取り付けられる、または固定されることができる。例えば、図１３および図１４に示されるように、容器本体７８は、容器本体７８の壁の１つに取り付けられる、または組み込まれるディスプレイスロット８２を含むことができる。磁気泳動ディスプレイ８０は、単純に摺動させて、またはその他の方法でディスプレイスロット８２の中に包囲されることができる。あるいは、図１５および図１６に示されるように、容器本体８４は、壁の少なくとも１つに容器凹所９０を含むことができ、容器凹所９０は、その外側縁から延びるディスプレイ取付リップ８８を含んでいてもよい磁気泳動ディスプレイ８６を収容できる大きさになっており、ディスプレイ取付けリップ８８は、容器凹所９０と係合し、磁気泳動ディスプレイをその中に保持するように設計されている。
【００１７】
いずれにせよ、磁気的に書換可能なディスプレイは、蓋または容器本体に取り外し可能に取り付けられることができ、容器および蓋の電子レンジ調理、容器または蓋の洗浄等が可能である。いくつかの実施形態では、磁気泳動ディスプレイは、極端な温度に曝されたとき、ディスプレイ液体が、凍結または沸騰するのを防止するために、高気圧をかけて最上透明パネルと底透明パネルとの間に封じ込められることができる。
【００１８】
磁気的に書換可能なディスプレイは、磁気チップスタイラスなどの、どのような所望の磁気デバイスとでも一緒に使用されることができる。いくつかの実施形態では、図５に示されるように、スタイラス３８は、中央オリフィス４４を備えた細長い本体、細長い本体に組み込まれた内部磁石４２、および磁気チップ４０を含むことができる。
【００１９】
本開示の容器は、どのような適切なまたは望ましい材料でできていてもよい。いくつかの実施形態では、磁気泳動ディスプレイは、例えばプラスチックまたはシリコーンの中に収容されてもよい。透明パネルは、保護ガラスまたはプラスチック層を含んでいてもよい。容器本体は、どのような所望の品目でもその中に保管することができるように、どのような所望の形状またはサイズを有していてもよい。
【００２０】
食品保管ガイドラインは、容器または蓋の何れかの面上に取り付けられる、接着される、または印刷されることができる。これらガイドラインは、随意的であるが、ユーザに食品期限切れについて気付かせる、または教育するのに役立つことができる。
【００２１】
当業者であれば理解されるように、本発明のシステムの機能的利益を享受するのに、多数の設計配置構成が、可能であり得る。したがって、本発明の実施形態の多種多様な構成および配列を考えると、本発明の範囲は、上で説明した実施形態によって狭められるのではなく、後述の特許請求の範囲の幅が反映される。
【００２２】
産業上の利用可能性
開示される本発明の実施形態は、品目を保管するのに有用であることができる。
【図１】
2020506125.tif 000003
【図２】
2020506125.tif 000004
【図３】
2020506125.tif 000005
【図４】
2020506125.tif 000006
【図５】
2020506125.tif 000007
【図６】
2020506125.tif 000008
【図７】
2020506125.tif 000009
【図８】
2020506125.tif 000010
【図９】
2020506125.tif 000011
【図１０】
2020506125.tif 000012
【図１１】
2020506125.tif 000013
【図１２】
2020506125.tif 000014
【図１３】
2020506125.tif 000015
【図１４】
2020506125.tif 000016
【図１５】
2020506125.tif 000017
【図１６】
2020506125.tif 000018
【国際調査報告】
2020506125.tif 000019